(57)【要約】【課題】吸引圧作用時におけるカテーテルの潰れを防止しつつ、吸引圧作用により連通孔が安定してスムーズに開くようにした、新規な構造の弁付カテーテルを提供する。【解決手段】先端が閉塞された可撓性のカテーテル１４の周壁部分に、スリット弁２２を備えた連通孔２０が形成されている弁付カテーテル１０であって、前記カテーテル１４の周壁部分の内周面上に突出形成されて吸引圧作用時に該カテーテル１４の潰れ変形を制限することにより該カテーテル１４内に連通領域２５を維持する突状部２４が設けられていると共に、該突状部２４による該カテーテル１４の潰れ変形の制限状態下で該カテーテル１４内に維持される該連通領域２５の周壁部分に前記連通孔２０が形成されている。【選択図】図２
2014087397.tif 000002
【特許請求の範囲】
【請求項１】
先端が閉塞された可撓性のカテーテル本体の周壁部分に、スリット弁を備えた連通孔が形成されている弁付カテーテルであって、
前記カテーテル本体の周壁部分の内周面上に突出形成されて吸引圧作用時に該カテーテル本体の潰れ変形を制限することにより該カテーテル本体内に連通領域を維持する突状部が設けられていると共に、
該突状部による該カテーテル本体の潰れ変形の制限状態下で該カテーテル本体内に維持される該連通領域の周壁部分に前記連通孔が形成されている
ことを特徴とする弁付カテーテル。
【請求項２】
前記カテーテル本体の材質が、ショアＡ硬さ７０〜１００である請求項１に記載の弁付カテーテル。
【請求項３】
前記連通孔が前記カテーテル本体の長さ方向に延びて形成されていると共に、該連通孔が形成された該カテーテル本体の長さ方向の領域内の少なくとも一部に、前記突状部が設けられている請求項１又は２に記載の弁付カテーテル。
【請求項４】
前記突状部が、山形の中実構造とされている請求項１〜３の何れか１項に記載の弁付カテーテル。
【請求項５】
前記突状部が吸引圧作用時に前記カテーテル本体の周壁部分の対向内面に当接するようになっていると共に、該突状部と該周壁部分の対向内面との当接部分を周方向に外れた位置に前記連通孔が設けられている請求項１〜４の何れか１項に記載の弁付カテーテル。
【請求項６】
前記カテーテル本体が少なくとも前記連通孔の形成領域において円形の外周面とされており、略一定の厚さ寸法で広がる薄肉部と前記突状部が形成された厚肉部とを有していると共に、該薄肉部に前記連通孔が形成されている請求項１〜５の何れか１項に記載の弁付カテーテル。
【請求項７】
前記カテーテル本体の周壁部分の厚さ寸法が、前記連通孔の形成された先端部分と基端側部分とで異ならされており、該先端部分が該基端側部分よりも薄肉とされている請求項１〜６の何れか１項に記載の弁付カテーテル。
【発明の詳細な説明】
【技術分野】
【０００１】
本発明は、医療分野で液体の注入や吸引などに用いられるカテーテルに係り、特に先端部分にスリット弁を備えた連通孔が設けられた弁付カテーテルに関する。
【背景技術】
【０００２】
従来から、患者に薬液や輸液等を注入したり患者から血液等を吸引して採取するためにカテーテルが採用されている。
【０００３】
ところで、患者の体内に挿し入れられるカテーテルの先端が常時開口していると、血液の流出や凝固の対策が必要となる等の問題がある。そこで、特公平４−７７５９０号公報（特許文献１）には、先端を閉塞したカテーテルの周壁部分に、スリット状の連通孔を設けた弁付カテーテルが提案されている。かかる連通孔では、カテーテルの内腔を通じて正圧又は吸引圧（陰圧）が及ぼされた際に、内外の圧力差でスリット弁が開いて連通孔が開口することで弁機能が発揮されるようになっている。
【０００４】
ところが、このような従来構造の弁付カテーテルの連通孔には、一般に円形断面とされた周壁部分に対して長さ方向にのびるスリット弁が形成されていることから、正圧が及ぼされた際に外方に開く作動は安定して生じるものの、吸引圧が及ぼされた際には連通孔の両端面が互いに押し合うようにして突っ張ってしまって内方に開き難いという問題があった。
【０００５】
なお、かかる問題に対処するために、カテーテルの周壁部分を薄肉として、吸引圧作用時における連通孔の両側部分における突っ張りによる抵抗力を小さくすることも考えられる。しかし、カテーテルの周壁部分を薄肉にすると、薄肉により変形し易くなった周壁部分が吸引圧作用時に容易に潰れてしまって、カテーテル内が遮断されることにより、目的とする血液等の吸引処置が出来なくなってしまうおそれがある。
【先行技術文献】
【特許文献】
【０００６】
【特許文献１】特公平４−７７５９０号公報
【発明の概要】
【発明が解決しようとする課題】
【０００７】
本発明の解決課題とするところは、吸引圧作用時におけるカテーテルの潰れを防止しつつ、吸引圧作用により連通孔が安定してスムーズに開くようにした、新規な構造の弁付カテーテルを提供することにある。
【課題を解決するための手段】
【０００８】
本発明の第１の態様は、先端が閉塞された可撓性のカテーテル本体の周壁部分に、スリット弁を備えた連通孔が形成されている弁付カテーテルであって、前記カテーテル本体の周壁部分の内周面上に突出形成されて吸引圧作用時に該カテーテル本体の潰れ変形を制限することにより該カテーテル本体内に連通領域を維持する突状部が設けられていると共に、該突状部による該カテーテル本体の潰れ変形の制限状態下で該カテーテル本体内に維持される該連通領域の周壁部分に前記連通孔が形成されている弁付カテーテルを、特徴とする。
【０００９】
本態様の弁付カテーテルでは、吸引圧作用によりカテーテルが変形した際にもカテーテルが完全に潰れてしまうことがなく、カテーテルの内腔に維持される連通領域を通じて連通孔からの吸引処置を行なうことが可能とされる。
【００１０】
しかも、かかる連通領域の周壁部分に連通孔が形成されていることから、周壁部分を薄肉にする等してスリット弁が吸引圧作用で安定して開き易い構造を、併せて実現することができる。
【００１１】
本発明の第２の態様は、前記第１の態様に係る弁付カテーテルであって、前記カテーテル本体の材質を、ショアＡ硬さ７０〜１００としたものである。
【００１２】
このようなショアＡ硬さを採用することで、カテーテルにおける手技の操作性を良好にすることが出来るのであり、そこにおいて、前述のとおりスリット弁を備えた連通孔とカテーテル内腔の連通領域を維持する突状部とを組み合わせて採用したことで、輸液等の注入や血液等の吸引も容易に且つ確実に行うことが出来るのである。
【００１３】
本発明の第３の態様は、前記第１又は第２の態様に係る弁付カテーテルであって、前記連通孔が前記カテーテル本体の長さ方向に延びて形成されていると共に、該連通孔が形成された該カテーテル本体の長さ方向の領域内の少なくとも一部に、前記突状部が設けられているものである。
【００１４】
本態様の弁付カテーテルにおいては、連通孔と突状部とが、カテーテルの長さ方向で少なくとも一部において同じ長さ領域に形成されていることから、突状部により連通孔の形成領域における吸引圧作用時の潰れが一層効果的に防止されることとなる。
【００１５】
本発明の第４の態様は、前記第１〜３の何れかの態様に係る弁付カテーテルであって、前記突状部が、山形の中実構造とされているものである。
【００１６】
本態様の弁付カテーテルにおいては、山形の中実構造とされた突状部を採用することにより、突状部によるカテーテル周壁部分の変形剛性の向上と、それに伴う吸引圧作用時におけるカテーテル内腔の潰れ変形の制限が一層効果的に達成されることとなる。なお、突状部の山形表面は、滑らかな湾曲形状とすることが望ましく、それによって、吸引圧作用時のカテーテル周壁部分の変形により突状部がカテーテル内腔の対向周壁部に対して干渉した場合にも、引っ掛かりや磨耗などの不具合が効果的に回避される。
【００１７】
本発明の第５の態様は、前記第１〜４の何れかの態様に係る弁付カテーテルであって、前記突状部が吸引圧作用時に前記カテーテル本体の周壁部分の対向内面に当接するようになっていると共に、該突状部と該周壁部分の対向内面との当接部分を周方向に外れた位置に前記連通孔が設けられているものである。
【００１８】
本態様の弁付カテーテルにおいては、吸引圧作用時に突状部がカテーテル内腔の対向周壁部に当接することによって、カテーテルの完全潰れによる内腔の遮断が一層確実に防止されることとなる。
【００１９】
本発明の第６の態様は、前記第１〜５の何れかの態様に係る弁付カテーテルであって、前記カテーテル本体が少なくとも前記連通孔の形成領域において円形の外周面とされており、略一定の厚さ寸法で広がる薄肉部と前記突状部が形成された厚肉部とを有していると共に、該薄肉部に前記連通孔が形成されているものである。
【００２０】
本態様の弁付カテーテルにおいては、血管や胸腔等の体内へ挿し入れて操作する際に体組織へ接触する外周面が円形とされていることにより、体組織への悪影響が軽減されると共に、カテーテル操作性も良好となる。また、突状部を構成する厚肉部を外れた薄肉部に対して連通孔が形成されていることから、正圧や吸引圧の作用に伴うスリット弁の開作動も一層容易に且つ安定して発生する。
【００２１】
本発明の第７の態様は、前記第１〜６の何れかの態様に係る弁付カテーテルであって、前記カテーテル本体の周壁部分の厚さ寸法が、前記連通孔の形成された先端部分と基端側部分とで異ならされており、該先端部分が該基端側部分よりも薄肉とされているものである。
【００２２】
本態様の弁付カテーテルにおいては、厚肉の周壁部分を備えた基端側部分で、手技による優れた操作性や吸引圧に対抗する形状安定性を確保しつつ、薄肉の周壁部分を備えた先端部分で、正圧や吸引圧の作用に伴うスリット弁の開作動の安定性を達成することができる。
【発明の効果】
【００２３】
本発明に従う構造とされた弁付カテーテルでは、吸引圧作用時にスリット弁が安定して開くようにスリット弁の形成部分を薄肉等としても、吸引圧による周壁部分の変形が突状部で制限されてカテーテル内腔に連通領域が維持される。それ故、正圧作用時だけでなく吸引圧作用時にも安定して開くスリット弁を、吸引圧作用時のカテーテル周壁の潰れ変形による内腔の遮断を防止してカテーテル内腔の連通状態を維持しつつ、実現することが可能になる。
【図面の簡単な説明】
【００２４】
【図１】本発明の第１の実施形態としての弁付カテーテルの正面図。
【図２】図１におけるＩＩ−ＩＩ断面拡大図。
【図３】図２におけるＩＩＩ−ＩＩＩ断面図。
【図４】吸引圧作用による変形状態を示す、図２に対応する断面図。
【図５】本発明の第２の実施形態としての弁付カテーテルを示す、図２に対応する断面図。
【図６】本発明の第３の実施形態としての弁付カテーテルを示す、図２に対応する断面図。
【図７】本発明の第４の実施形態としての弁付カテーテルを示す、図２に対応する断面図。
【図８】本発明の第５の実施形態としての弁付カテーテルを示す、図３に対応する断面図。
【発明を実施するための形態】
【００２５】
以下、本発明の実施形態について、図面を参照しつつ説明する。図１〜３には、本発明の第１の実施形態としての弁付カテーテル１０が示されている。なお、見易さのため、図２は縮尺を拡大して示す。また、以下の説明において、先端側とは図１中の上方向を、基端側とは図１中の下方向を示す。この弁付カテーテル１０は、例えば患者の血管に対して先端側から挿し入れられて、薬液や栄養液等を血管内に注入したり、血管から血液を吸引して採取したりするのに用いられる。
【００２６】
より具体的には、弁付カテーテル１０は、単一の内腔１２を有する管形状のカテーテル本体１４から構成されている。図１〜３には、弁付カテーテル１０の要部である先端側だけが示されているが、患者の血管内で目的とする位置まで先端部分を挿し入れることができる長さのカテーテル本体１４が用いられている。なお、カテーテル本体１４の材質は特に限定されるものでないが、軟質のポリウレタンやシリコーン等の弾性材料で形成されており、血管等に挿し入れることができるように適度な可撓性を有している。
【００２７】
なお、カテーテル本体１４の基端側の端部では、内腔１２が開口されており、そこに薬液注入ポートや血液吸引ポート等の適当なポートが接続されるようになっている。一方、カテーテル本体１４の先端側の端部は、閉塞部１６によって密閉状態とされており、内腔１２の先端開口が閉塞されている。なお、この閉塞部１６は、カテーテル本体１４の周壁部分と一体成形されていても良いし、例えば内腔１２が開口されたカテーテル本体１４の先端に対して別体の蓋部材を固着して閉塞することによって構成されていても良い。
【００２８】
また、本実施形態のカテーテル本体１４は、その略全長に亘って略一定の外径寸法を有する円形外周面を有している。そして、カテーテル本体１４の内部には、中心軸上を延びるように円形断面の内腔１２が形成されている。これにより、内腔１２の周壁は円筒形状とされているが、図３に示されているように、その厚さ寸法が、カテーテル本体１４の先端部分１８において基端側部分と異ならされており、具体的には、基端側部分よりも薄肉とされている。なお、このような周壁部分の肉厚が基端側と先端側で異なるカテーテル本体１４は、例えばカテーテル本体１４を構成する樹脂チューブの一部を熱加工により拡径して薄肉の先端部分を形成することも可能であるが、別体形成された薄肉の先端部分を、厚肉の基端側部分の先端側に溶着や接着等で固着して一体化しても良い。
【００２９】
すなわち、カテーテル本体１４の周壁部分は、その基端から先端部分１８に至る殆どの軸方向長さ部分において略一定の厚さ寸法で広がる厚肉の円筒形状とされている一方、先端部分１８だけが略一定の厚さ寸法で広がる薄肉の円筒形状とされている。そして、この薄肉とされた先端部分１８の周壁部分において、薬液や血液等が流出入される連通孔２０が形成されている。
【００３０】
かかる連通孔２０は、カテーテル本体１４の周壁部分に対して、管軸方向（カテーテル本体１４の長さ方向）に延びる直線状スリットにより形成されており、外力が及ぼされていない状態では閉塞状態に保持されている。そして、連通孔２０を構成するスリットと、その両側に位置する周壁部分とにより、弾性変形に基づいて連通孔２０を開閉するスリット弁２２が構成されている。
【００３１】
すなわち、このスリット弁２２では、カテーテル本体１４の内腔１２に正圧が及ぼされた際、スリットを挟んだ両側の周壁部分が外方に弾性変形するようになっている。そして、スリットの両側が外方に開くように相互に離隔することで、連通孔２０が連通状態で現れるようになっている。一方、カテーテル本体１４の内腔１２に吸引圧が及ぼされた際には、スリットを挟んだ両側の周壁部分が内方に弾性変形して、スリットの両側が内方に開くように相互に離隔することで、連通孔２０が連通状態で現れるようになっている。なお、カテーテル本体１４への正圧や吸引圧の作用が解除されて、内腔１２と外部との圧力差がなくなると、スリット弁２２を構成するスリットの両側の周壁部分が弾性により元形状に復元して相互に密着し、連通孔２０が遮断状態とされる。
【００３２】
また、カテーテル本体１４の先端部分１８の周壁部分には、連通孔２０を周方向に外れた位置において内周面上に突出する突状部２４が形成されている。この突状部２４は、図２に示された横断面において、滑らかに先細となる山形状を有しており、図３に示されているように、カテーテル本体１４の軸方向に略一定横断面形状で延びている。なお、突状部２４の大きさや形状は特に限定されるものでないが、周壁部分を過度に変形し難くしないように、また、内腔１２の流通断面積を過度に小さくしないように、周方向で半周以下の大きさとされることが望ましく、突出高さも内腔１２の内径の２／３以下に設定することが望ましい。
【００３３】
特に本実施形態では、周壁部分が薄肉とされたカテーテル本体１４の先端部分１８において、その全長に僅かに至らない長さで連通孔２０が形成されていると共に、突状部２４が全長に亘って形成されている。これにより、カテーテル本体１４の長さ方向において、連通孔２０の形成領域と略同じ領域に亘って延びる長さで、突状部２４が長手突形状をもって形成されている。また、本実施形態の突状部２４は、カテーテル本体１４の周壁部分と一体形成されて、中実構造とされている。
【００３４】
更にまた、先端部分１８は、突状部２４により周上で部分的に厚肉とされた周壁部分（厚肉部）を有している。そして、この突状部２４を周方向で外れた位置に形成された連通孔２０は、突状部２４で厚肉とされていない薄肉の周壁部分（薄肉部）に位置して形成されている。特に本実施形態では、図２に示されているように、連通孔２０と突状部２４とが、周上で略９０度離れた位置に形成されている。
【００３５】
従って、このような構造とされた弁付カテーテル１０を用いて、例えば患者の静脈に薬液を供給する際には、先ず患者の切開部位を通じて先端側から静脈に挿し入れ、弁付カテーテル１０の先端部分１８を薬液供給部位に位置させる。なお、弁付カテーテル１０の静脈への挿入は、静脈内にイントロデューサを挿し入れて行っても良い。
【００３６】
そして、先端側を患者の静脈に挿し入れた弁付カテーテル１０の基端側ポートに注射器や薬液パック等を接続して、注射器による加圧や薬液パックに及ぼされる大気圧により、静脈内の圧力より大きい正圧の薬液を内腔１２に導き入れる。これにより、弁付カテーテル１０の先端部分１８に形成されたスリット弁２２が外方に開いて連通状態とされた連通孔２０を通じて、薬液を内腔１２から静脈内に流出させて供給することが出来る。
【００３７】
この際、カテーテル本体１４の周壁部分は、内腔１２内の正圧により円筒形状に維持されて流体流路が安定して確保される。また、周壁部分が薄肉とされた先端部分１８も、突状部２４で強度が向上されることにより、弁付カテーテル１０を患者の静脈に挿し入れる際の手技による操作も良好とされる。
【００３８】
一方、弁付カテーテル１０を患者の静脈に挿し入れた状態で、血液の採取や逆血確認を行うには、弁付カテーテル１０の基端側ポートに注射器を接続してプランジャを引く等して内腔１２に吸引圧を及ぼす。これにより、弁付カテーテル１０の先端部分１８に形成されたスリット弁２２が内方に開いて連通状態とされた連通孔２０を通じて血液を内腔１２に流入させることが出来る。
【００３９】
この際、スリット弁２２が形成された先端部分１８は、周壁部分が薄肉とされていることから、内腔１２の吸引圧作用によりスリット弁２２が安定して開作動することとなる。
【００４０】
しかも、かかる先端部分１８は、そこに形成された突状部２４によって強度が向上されていることから、内腔１２に及ぼされる吸引圧によって完全に潰れてしまうことが防止される。仮に、かかる吸引圧により、内腔１２の対向内面が当接するまで変形した場合でも、図４に示されているように、突状部２４の突出先端部分が径方向の対向内面に当たることにより、周壁部分におけるそれ以上の潰れ変形が効果的に防止される。特に、本実施形態では、突状部２４の突出先端部分と内腔１２の周壁部分との当接部分を周方向に外れた位置に連通孔２０が設けられていることから、連通孔２０が突状部２４により閉塞されることが回避される。
【００４１】
そして、このように吸引圧による周壁部分の潰れ変形が制限されることにより、たとえ周壁部分における連通孔２０の形成部位を薄肉にしても、突状部２４により内腔１２の連通領域２５が安定して維持される。ここにおいて、内腔１２におけるカテーテル本体１４の先端部分１８に対応する領域が連通領域２５とされている。かかる連通領域２５は、吸引圧下においても内腔１２の基端側と連通される領域であり、即ち、吸引圧下においても連通領域２５は先端部分１８に形成された突状部２４によって完全に閉塞されることが回避されて、連通状態として維持され得る。また、かかる連通領域２５の周壁部分に連通孔２０が形成されていることから、目的とする吸引圧作用による採血処置を容易に行なうことができるのである。
【００４２】
また、周壁部分における連通孔２０の形成部位を薄肉にしてスリット弁２２を安定して開作動させることができることから、カテーテル本体１４として、ショアＡ硬さ７０〜１００、好ましくは８０〜９０（日本工業規格（ＪＩＳ）Ｋ６２５３に準拠）の材質を採用することが出来る。それによって、弁付カテーテル１０における手技の操作性を一層向上させることが可能となる。要するに、硬度の高い材質を採用した場合でも、カテーテル本体１４におけるスリット弁２２における連通状態と遮断状態への切換作動が何れも安定して行われるのである。
【００４３】
以上、本発明の実施形態について詳述してきたが、本発明はかかる実施形態の具体的な記載によって限定されるものでない。例えば、カテーテル本体１４に対してスリット弁２２を備えた連通孔２０や突状部２４を複数設けることも可能である。複数の突状部２４を設けた弁付カテーテルの具体例を、第２〜４の実施形態として、図５〜７に示す。これら図５〜７に示された何れの実施形態の弁付カテーテル２６，２８，３０も、第１の実施形態の弁付カテーテル１０と同様に、本発明の作用効果を発揮し得る。なお、第１の実施形態と同様な構造とされた部材および部位については、図中にそれぞれ第１の実施形態と同じ符号を付することにより、詳細な説明を省略する。
【００４４】
図５に示された第２の実施形態としての弁付カテーテル２６では、２つの突状部２４，２４が、カテーテル本体１４の先端部分１８における周壁部分の内周面に突出形成されている。特に本実施形態では、二つの突状部２４，２４が、カテーテル本体１４の中心軸を挟んで径方向に対向位置しており、かかる対向方向に直交する径方向線上に位置してスリット弁２２が形成されている。
【００４５】
また、図６に示された第３の実施形態としての弁付カテーテル２８では、２つの突状部２４，２４が周方向に偏倚して設けられており、それら二つの突状部２４，２４の周方向間隔が周方向両側で異なっている。なお、スリット弁２２の形成位置も、二つの突状部２４，２４の周方向間の中央位置よりも周方向一方の側に偏倚している。
【００４６】
更にまた、図７に示された第４の実施形態としての弁付カテーテル３０では、３つの突状部２４，２４，２４が周方向で互いに所定距離を隔てて形成されている。特に本実施形態では、３つの突状部２４，２４，２４が、周方向で等間隔に設けられていると共に、２つの突状部２４，２４の周方向間の略中央に位置してスリット弁２２が形成されている。
【００４７】
これら第２〜４の実施形態に示されているように、複数の突状部を採用する場合には、吸引圧作用時に突状部が互いに当接することによってカテーテル本体１４の周壁部分の潰れ変形が制限される。それ故、第１の実施形態のように１つの突状部を設ける場合に比して、吸引圧作用時にも連通領域２５をより安定して確保し易くなり、スリット弁２２を設ける位置の設計自由度も大きくなる。また、複数の突状部を採用する場合には、１つの突状部を採用する場合に比して、突状部の突出高さや大きさを小さくすることも可能になる。
【００４８】
なお、上記第２〜４の実施形態では、複数の突状部が互いに同じ大きさと形状で設けられていたが、複数の突状部を採用する場合には、異なる大きさや形状の突状部を組み合わせても良い。スリット弁２２を備えた連通孔２０も、周方向で各隣り合う突状部間に設けることも可能である。
【００４９】
さらに、突状部２４は、スリット弁２２の形成により吸引圧で潰れ変形し易くなった先端部分１８の変形を制限し得る位置に設けられていれば良く、第１の実施形態のように連通孔２０の全長に亘る軸方向領域に突状部２４を形成する必要はない。例えば、図８に示された第５の実施形態としての弁付カテーテル３２のように、連通孔２０の基端側部分だけに対応する位置に、突状部２４を形成しても良い。即ち、スリット弁２２の先端側部分は、閉塞部１６によって大きな変形剛性が発揮されることから、スリット弁２２の基端側の周壁部分だけを、突状部２４で吸引圧作用時に変形制限することにより、周壁部分の完全な潰れ変形を防止することも可能である。なお、スリット弁２２の形成位置よりも基端側に連続した連通領域２５を確保し得る態様であれば、突状部２４を、スリット弁２２の形成位置から軸方向に外れた位置に形成することもできる。
【００５０】
また、前記実施形態では、カテーテル本体１４の周壁部分の肉厚が、先端部分１８において薄肉とされていたが、カテーテル本体１４の材質や要求される特性等を考慮して、例えば図８に示されているように、カテーテル本体１４の全長に亘って略一定の肉厚を設定しても良い。
【００５１】
更にまた、突状部２４は、中空構造とすることも可能であり、三角断面などの各種形状を採用することも可能である。また、前記実施形態では、突状部２４は押出成形によりカテーテル本体１４と一体に形成されていたが、突状部２４をカテーテル本体１４と別体形成してカテーテル本体１４の周壁部分の内周面に固着した構造としても良い。
【００５２】
また、突状部２４は、内腔１２内で対向位置する周壁内面や他の突状部２４に対して、前記実施形態に記載のように所定距離を隔てて対向している他、吸引圧作用前に当初から対向方向で当接していても良い。
【００５３】
さらに、カテーテル本体１４の内部をそれぞれ管軸方向に延びる内腔を複数形成したダブルルーメン構造やマルチルーメン構造の弁付カテーテルに対しても、本発明を適用することが可能である。その場合には、全てのルーメンの周壁部分に連通孔２０と突状部２４を設ける必要もない。
【００５４】
また、前述のように、カテーテル本体１４の先端部分１８はカテーテル本体１４の基端側部分と別体で形成されて固着されていても良く、更に、先端部分１８の突状部２４も先端部分１８と別体で形成されて固着されていても良い。この際、カテーテル本体１４の基端側部分、先端部分１８、突状部２４のショアＡ硬度を別個に設定することも可能である。例えば、カテーテル本体１４の基端側部分に比べて先端部分１８の硬度を小さくすることにより、血管内壁等の損傷のおそれが低減され得る。さらに、先端部分１８に比べて突状部２４の硬度を大きくすることにより、硬度が小さくされた先端部分１８の潰れが回避されて、連通領域２５が安定して維持され得る。
【００５５】
更にまた、前記実施形態では、カテーテル本体１４は略全長に亘って円形外周面を有していたが、必ずしもその必要はない。さらに、必ずしもカテーテル本体１４の略全長に亘って略一定の外径寸法とされる必要もなく、カテーテル本体１４では部分的に縮径部や拡径部が設けられていても良い。
【符号の説明】
【００５６】
１０，２６，２８，３０，３２：弁付カテーテル、１４：カテーテル本体、１８：先端部分、２０：連通孔、２２：スリット弁、２４：突状部、２５：連通領域
【図１】
2014087397.tif 000003
【図２】
2014087397.tif 000004
【図３】
2014087397.tif 000005
【図４】
2014087397.tif 000006
【図５】
2014087397.tif 000007
【図６】
2014087397.tif 000008
【図７】
2014087397.tif 000009
【図８】
2014087397.tif 000010